(57)【要約】  パイロットおよびトラフィックデータを送信するための技術が記述されている。１つの態様において、ターミナルは、そのパイロットを静的および動的パラメータに基づいて生成されたスクランブルシーケンスでスクランブルすることがある。静的パラメータは、ターミナルの全体の通信セッションの固定値を有している。動的パラメータは、通信セッションの間に変数値を有している。ターミナルは、シードを得るためにパラメータのセットをハッシュすることによってスクランブルシーケンスを生成することがあり、シードでＰＮジェネレータを初期化することがある。ターミナルは、その後スクランブルシーケンスに基づいてパイロットを生成することがある。他の態様において、ターミナルは、パイロットおよびトラフィックデータの異なるスクランブルシーケンスを使用することがある。第１スクランブルシーケンスは、第１パラメータのセットに基づいて生成されることがあり、パイロットを生成するために使用されることがある。第２スクランブルシーケンスは、第２パラメータのセットに基づいて生成されることがあり、トラフィックデータをスクランブルするために使用されることがある。
2010516121.tif 000002
【特許請求の範囲】
【請求項１】
少なくとも１つの静的パラメータを備えたパラメータのセットに基づいてスクランブルシーケンスを生成するように、前記スクランブルシーケンスに基づいてパイロットを生成するように、およびターミナルから少なくとも１つのセクタに前記パイロットを送信するように構成された少なくとも１つのプロセッサと、
前記少なくとも１つのプロセッサに結合されたメモリと、
を備えた無線通信のための装置。
【請求項２】
前記少なくとも１つのプロセッサは、シードを得るために前記パラメータのセットをハッシュするように、および前記シードに基づいて前記スクランブルシーケンスを生成するように構成された請求項１の装置。
【請求項３】
前記少なくとも１つのプロセッサは、スクランブルされたパイロットデータを得るために前記スクランブルシーケンスでパイロットデータをスクランブルするように、前記スクランブルされたパイロットデータに基づいてパイロットシンボルを生成するように、および前記パイロットを送信するために使用した時間周波数ブロックに前記パイロットシンボルをマップするように構成された請求項１の装置。
【請求項４】
前記パイロットデータは、すべてのシーケンスを備えた請求項３の装置。
【請求項５】
前記少なくとも１つのプロセッサは、さらに直交シーケンスを備えたパイロットデータに基づいて前記パイロットを生成するように、および逆方向リンクでパイロットを送信するために多数のターミナルによって使用された符号分割多元接続（ＣＤＭＡ）サブセグメントの時間周波数ブロックで前記パイロットを送信するように構成された請求項１の装置。
【請求項６】
前記少なくとも１つの静的パラメータは、前記ターミナルの通信セッション全体の固定値を有する請求項１の装置。
【請求項７】
前記少なくとも１つの静的パラメータは、前記ターミナルのサービングセクタから独立した請求項１の装置。
【請求項８】
前記少なくとも１つのプロセッサは、前記ターミナルによる初期システムアクセスが完了した後に前記少なくとも１つの静的パラメータを得るように構成された請求項１の装置。
【請求項９】
前記少なくとも１つの静的パラメータは、前記ターミナルによって初期にアクセスされたセクタの識別子（ＩＤ）、前記初期アクセスされたセクタによって前記ターミナルに割り当たられたＩＤ、初期システムアクセスについて前記ターミナルによって使用されるアクセスシーケンスインデックス、前記ターミナルによる初期システムアクセスの時間のうち少なくとも１つを含む請求項１の装置。
【請求項１０】
前記パラメータのセットは、さらに前記ターミナルの通信セッションの間に変数値を有する少なくとも１つの動的パラメータを備えた請求項１の装置。
【請求項１１】
前記少なくとも１つの動的パラメータは、システム時間のパラメータを備えた請求項１０の装置。
【請求項１２】
システム時間の前記パラメータは、前記パイロットが送信されるスーパーフレームのスーパーフレームインデックスを備えた請求項１１の装置。
【請求項１３】
システム時間の前記パラメータは、さらに前記パイロットが送信されるスーパーフレーム内におけるフレームのフレームインデックスを備えた請求項１２の装置。
【請求項１４】
前記少なくとも１つのプロセッサは、前記ターミナルのサービングセクタからパワー制御（power control）（ＰＣ）コマンドを受信するように、前記ＰＣコマンドは前記パイロットに基づいて決定されており、および前記ＰＣコマンドに基づいて送信パワーを調節するように構成された請求項１の装置。
【請求項１５】
前記少なくとも１つのプロセッサは、前記少なくとも１つのセクタのそれぞれからパイロット品質インジケータ（pilot quality indicator）（ＰＱＩ）を受信するように、各セクタからの前記ＰＱＩは前記パイロットに基づいて決定されており、および前記少なくとも１つのセクタのそれぞれから受信された前記ＰＱＩに基づいて前記ターミナルのサービングセクタとして前記少なくとも１つのセクタを選択するように構成された請求項１の装置。
【請求項１６】
前記少なくとも１つのプロセッサは、現在のサービングセクタから新しいサービングセクタへとハンドオフを実行するように、および前記新しいサービングセクタに送信されたパイロットの前記スクランブルシーケンスを生成するために前記パラメータのセットを使用するように構成された請求項１の装置。
【請求項１７】
少なくとも１つの静的パラメータを備えたパラメータのセットに基づいてスクランブルシーケンスを生成することと、
前記スクランブルシーケンスに基づいてパイロットを生成することと、
前記パイロットをターミナルから少なくとも１つのセクタへ送信することと、
を備えた無線通信のための方法。
【請求項１８】
前記スクランブルシーケンスを生成することは、シードを得るために前記パラメータのセットをハッシュすることと、
前記シードに基づいて前記スクランブルシーケンスを生成することと、
を備えた請求項１７の方法。
【請求項１９】
前記パラメータのセットは、さらに少なくとも１つの動的パラメータ、前記ターミナルの通信セッション全体の固定値を有する前記少なくとも１つの静的パラメータ、前記通信セッションの間に変数値を有する前記少なくとも１つの動的パラメータを含む請求項１７の方法。
【請求項２０】
前記少なくとも１つの動的パラメータは、システム時間のパラメータを含む請求項１９の方法。
【請求項２１】
少なくとも１つの静的パラメータを備えたパラメータのセットに基づいてスクランブルシーケンスを生成するための手段と、
前記スクランブルシーケンスに基づいてパイロットを生成するための手段と、
前記パイロットをターミナルから少なくとも１つのセクタに送信するための手段と、
を備えた無線通信のための装置。
【請求項２２】
前記パラメータのセットは、さらに少なくとも１つの動的パラメータと、前記ターミナルの通信セッション全体の固体値を有する前記少なくとも１つの静的パラメータと、および前記通信セッションの間に変数値を有する前記少なくとも１つの動的パラメータと、を備えた請求項２１の装置。
【請求項２３】
前記スクランブルシーケンスを生成するための手段は、
シードを得るために前記パラメータのセットをハッシュするための手段と、
前記シードに基づいて前記スクランブルシーケンスを生成するための手段と、を備えた請求項２１の装置。
【請求項２４】
少なくとも１つのコンピュータに少なくとも１つの静的パラメータを備えたパラメータのセットに基づいてスクランブルシーケンスを生成させるためのコードと、
前記少なくとも１つのコンピュータに前記スクランブルシーケンスに基づいてパイロットを生成させるためのコードと、
前記少なくとも１つのコンピュータに前記パイロットを少なくとも１つのセクタに送信させるためのコードと、
を有するコンピュータ可読媒体、
を備えたコンピュータプログラムプロダクト。
【請求項２５】
ターミナルからパイロットを受信するように、少なくとも１つの静的パラメータを備えたパラメータのセットに基づいて前記ターミナルのスクランブルシーケンスを生成するように、前記ターミナルのディスクランブルされたパイロットを得るために前記スクランブルシーケンスで前記受信されたパイロットをディスクランブルするように構成された少なくとも１つのプロセッサと、
前記少なくとも１つのプロセッサと結合されたメモリと、
を備えた無線通信のための装置。
【請求項２６】
前記少なくとも１つのプロセッサは、シードを得るために前記パラメータのセットをハッシュするように、および前記シードに基づいて前記スクランブルシーケンスを生成するように構成された請求項２５の装置。
【請求項２７】
前記パラメータのセットは、さらにシステム時間の動的パラメータを備えた請求項２５の装置。
【請求項２８】
前記少なくとも１つの静的パラメータは、前記ターミナルによって初期にアクセスされたセクタの識別子（ＩＤ）、前記初期アクセスされたセクタによって前記ターミナルに割り当てられたＩＤ、初期システムアクセスについて前記ターミナルによって使用されるアクセスシーケンスインデックス、前記ターミナルによる前記初期システムアクセスの時間のうち少なくとも１つを備えた請求項２５の装置。
【請求項２９】
前記少なくとも１つのプロセッサは、前記ディスクランブルされたパイロットに基づいて前記ターミナルの受信されたパイロット強度を決定するように、前記受信されたパイロット強度に基づいてパイロット品質インジケータ（pilot quality indicator）（ＰＱＩ）を生成するように、前記ＰＱＩを前記ターミナルに送信するように構成された請求項２５の装置。
【請求項３０】
前記少なくとも１つのプロセッサは、前記ディスクランブルされたパイロットに基づいて前記ターミナルの受信されたシグナル品質を決定するように、前記受信されたシグナル品質に基づいてパワー制御（power control）（ＰＣ）コマンドを生成するように、前記ＰＣコマンドを前記ターミナルに送信するように構成された請求項２５の装置。
【請求項３１】
パイロットをターミナルから受信することと、
少なくとも１つの静的パラメータを備えたパラメータのセットに基づいて前記ターミナルのスクランブルシーケンスを生成することと、
前記ターミナルのディスクランブルされたパイロットを得るために前記スクランブルシーケンスで前記受信されたパイロットをディスクランブルすることと、
を備えた無線通信のための方法。
【請求項３２】
前記スクランブルシーケンスを生成することは、
シードを得るために前記パラメータのセットをハッシュすることと、
前記シードに基づいて前記スクランブルシーケンスを生成することと、
を備えた請求項３１の方法。
【請求項３３】
前記パラメータのセットは、さらにシステム時間の動的パラメータを備えた請求項３１の方法。
【請求項３４】
第１パラメータのセットに基づいて第１スクランブルシーケンスを生成するように、前記第１スクランブルシーケンスに基づいてパイロットを生成するように、ターミナルのサービングセクタを含む少なくとも１つのセクタに前記パイロットを送信するように、第２パラメータのセットに基づいて第２スクランブルシーケンスを生成するように、スクランブルされたトラフィックデータを得るために前記第２スクランブルシーケンスに基づいてトラフィックデータをスクランブルするように、前記サービングセクタに前記スクランブルトラフィックデータを送信するように構成された少なくとも１つのプロセッサと、
前記少なくとも１つのプロセッサに結合されたメモリと、
を備えた無線通信のための装置。
【請求項３５】
前記少なくとも１つのプロセッサは、第１シードを得るように前記第１パラメータのセットをハッシュするように、前記第１シードに基づいて前記第１スクランブルシーケンスを生成するように、第２シードを得るために前記第２パラメータのセットをハッシュするように、前記第２シードに基づいて前記第２スクランブルシーケンスを生成するように、構成された請求項３４の装置。
【請求項３６】
前記第１セットは、前記サービングセクタから独立した少なくとも１つのパラメータを備え、前記第２セットは、前記サービングセクタに依存した少なくとも１つのパラメータを備えた請求項３４の装置。
【請求項３７】
前記第１および第２セットの少なくとも１つは、システム時間のパラメータを備えた請求項３４の装置。
【請求項３８】
システム時間の前記パラメータは、パイロットまたはトラフィックデータが送信されたスーパーフレームのスーパーフレームインデックスの少なくとも１つと、パイロットまたはトラフィックデータが送信された前記スーパーフレーム内におけるフレームのフレームインデックスと、備えた請求項３７の装置。
【請求項３９】
前記第１セットのパラメータは、前記ターミナルによって初期にアクセスされたセクタの識別子（ＩＤ）、前記初期アクセスされたセクタによって前記ターミナルに割り当てられたＩＤ、初期システムアクセスについて前記ターミナルによって使用されたアクセスシーケンスインデックス、前記ターミナルによる前記初期システムアクセスの時間のうち少なくとも１つを備えた請求項３４の装置。
【請求項４０】
前記第２セットのパラメータは、前記サービングセクタの識別子（ＩＤ）、前記サービングセクタによって前記ターミナルに割り当てられたＩＤのうち少なくとも１つを備えた請求項３４の装置。
【請求項４１】
第１パラメータのセットに基づいて第１スクランブルシーケンスを生成することと、
前記第１スクランブルシーケンスに基づいてパイロットを生成することと、
ターミナルのサービングセクタを含む少なくとも１つのセクタに前記パイロットを送信することと、
第２パラメータのセットに基づいて第２スクランブルシーケンスを生成することと、
スクランブルされたトラフィックデータを得るために前記第２スクランブルシーケンスに基づいてトラフィックデータをスクランブルすることと、
前記サービングセクタを前記スクランブルされたトラフィックデータに送信することと、
を備えた無線通信のための方法。
【請求項４２】
前記第１スクランブルシーケンスを生成することは、第１シードを得るために前記第１パラメータのセットをハッシュすることと、前記第１シードに基づいて前記第１スクランブルシーケンスを生成することと、備え、前記第２スクランブルシーケンスを生成することは、第２シードを得るために前記第２パラメータのセットをハッシュすることと、前記第２シードに基づいた前記第２スクランブルシーケンスを生成することと、を備えた請求項４１の方法。
【請求項４３】
前記第１および第２の少なくとも１つは、システム時間のパラメータを備えた請求項４１の方法。
【請求項４４】
ターミナルからパイロットを受信するように、第１パラメータのセットに基づいて第１スクランブルシーケンスを生成するように、ディスクランブルされたパイロットを得るために前記第１スクランブルシーケンスで前記受信されたパイロットをディスクランブルするように、前記ターミナルからトラフィックデータを受信するように、第２パラメータのセットに基づいて第２スクランブルシーケンスを生成するように、ディスクランブルされたトラフィックデータを得るために前記第２スクランブルシーケンスで前記受信されたトラフィックデータをディスクランブルするように構成された少なくとも１つのプロセッサと、
前記少なくとも１つのプロセッサに結合されたメモリと、
を備えた無線通信のための装置。
【請求項４５】
前記少なくとも１のプロセッサは、第１シードを得るために前記第１パラメータのセットをハッシュするように、前記第１シードに基づいて前記第１スクランブルシーケンスを生成するように、第２シードを得るために前記第２パラメータのセットをハッシュするように、前記第２シードに基づいた前記第２スクランブルシーケンスを生成するように構成された請求項４４の装置。
【請求項４６】
前記第１セットは、前記ターミナルのサービングセクタから独立した少なくとも１つのパラメータを備え、前記第２セットは、前記サービングセクタに依存した少なくとも１つのパラメータを備えた請求項４４の装置。
【請求項４７】
前記第１および第２セットのそれぞれは、システム時間のパラメータを備えた請求項４４の装置。
【請求項４８】
ターミナルからパイロットを受信することと、
第１パラメータのセットに基づいて第１スクランブルシーケンスを生成することと、
ディスクランブルされたパイロットを得るために前記第１スクランブルシーケンスで前記受信されたパイロットをディスクランブルされることと、
前記ターミナルからトラフィックデータを受信することと、
第２パラメータのセットに基づいて第２スクランブルシーケンスを生成することと、
ディスクランブルされたトラフィックデータを得るために前記第２スクランブルシーケンスで前記受信されたトラフィックデータをディスクランブルすることと、
を備えた無線通信のための方法。
【請求項４９】
前記第１スクランブルシーケンスを生成することは、第１シードを得るために前記第１パラメータのセットをハッシュすることと、前記第１シードに基づいて前記第１スクランブルシーケンスを生成することと、を備え、前記第２スクランブルシーケンスを生成することは、第２シードを得るために前記第２パラメータのセットをハッシュすることと、前記第２シードに基づいて前記第２スクランブルシーケンスを生成することと、を備えた請求項４８の方法。
【発明の詳細な説明】
【優先権主張】
【０００１】
本出願は、２００７年１月５日に出願された「WIRELESS COMMUNICATION SYSTEM」という名称の仮特許出願第６０／８８３，７５８号、２００７年１月８日に出願された「PILOT SIGNAL TRANSMISSION FOR A WIRELESS COMMUNICATION SYSTEM」という名称の仮特許出願第６０／８８３，８７０号、および２００７年１月８日に出願された「PILOT SIGNAL TRANSMISSION FOR A WIRELESS COMMUNICATION SYSTEM」という名称の仮特許出願第６０／８８３，９８２号に基づく優先権を主張し、本譲受人に全て譲渡され、ここで参照により組み込まれている。
【背景技術】
【０００２】
［分野］
本開示は、一般に、通信に関し、より明確には、無線通信システムにおいてパイロットを送信するための技術に関する。
【０００３】
［背景］
無線通信システムは、音声、ビデオ、パケットデータ、メッセージング、同報通信などの様々な通信サービスを提供するために広く展開されている。これらの通信システムは、利用可能なシステムリソースを共有することにより複数のユーザをサポートすることが可能な多重アクセスシステムであることがある。そのような多重アクセスシステムの例は、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交ＦＤＭＡ（Orthogonal FDMA）（ＯＦＤＭＡ）システムおよび単一キャリアＦＤＭＡ（Single-Carrier FDMA）（ＳＣ−ＦＤＭＡ）システムを含む。
【０００４】
無線通信システムは、順方向および逆方向リンクの多くのターミナルの通信をサポートすることができる多くの基地局を含むことがある。順方向リンク（またはダウンリンク）は、基地局からターミナルへの通信リンクを意味し、逆方向リンク（またはアップリンク）は、ターミナルから基地局への通信リンクを意味する。ターミナルはシステム内においていかなる場所に位置することがあり、各ターミナルはいかなる任意の瞬間において、０、１、または複数の基地局の有効範囲（coverage）内にあることがある。ターミナルは、基地局がターミナルを検知することを可能にするためにパイロットを逆方向リンクで送信することがある。パイロットは、さらにターミナルのチャネルの状態を推定するために、効率的にターミナルをサーブすることができる適切な基地局にターミナルを割り当てるために、および／または他の目的のために使用されることがある。ターミナルによって送信されたパイロットは、有用であるが、オーバーヘッドを表す。
【０００５】
したがって、逆方向リンクでパイロットを効率的に送信するための技法について技術が必要である。
【発明の概要】
【０００６】
パイロットおよびトラフィックデータをターミナルによって逆方向リンクで送信するための技術は、本明細書で説明される。１つの態様において、ターミナルは、少なくとも１つの静的パラメータおよびことによると少なくとも１つの動的なパラメータを含むことがあるパラメータのセットに基づいてスクランブルシーケンスでそのパイロットをスクランブルすることがある。少なくとも１つの静的パラメータは、ターミナルの通信セッション全体の固定値を有することがあり、ターミナルによる初期システムアクセスの間に決定されることがあり、ターミナルのサービングセクタから独立していることがある。少なくても１つの動的パラメータは、通信セッションの間に変数値を有することがあり、システム時間のパラメータを含むことがある。スクランブルシーケンスは、シードを得るために、例えば、パラメータのセットをハッシュすることによって、パラメータのセットに基づいて生成されることがあり、その後、シードで偽ランダム数（pseudo-random number）（ＰＮ）を初期化することがある。パイロットは、その後、スクランブルされたパイロットデータを得るために、例えば、パイロットデータをスクランブルシーケンスでスクランブルすることによって、スクランブルシーケンスに基づいて生成されることがあり、その後、スクランブルされたパイロットデータに基づいてパイロットシンボルを生成する。
【０００７】
他の１つの態様において、ターミナルは、パイロットおよびトラフィックデータの異なるスクランブルシーケンスを使用することがある。第１スクランブルシーケンスは、第１パラメータのセットに基づいて生成されることがある。パイロットは、第１スクランブルシーケンスに基づいて生成されることがあり、サービングセクタを含む少なくとも１つのセクタに送信されることがある。第２スクランブルシーケンスは、第２パラメータのセットに基づいて生成されることがある。トラフィックデータは、サービングセクタに送信されることがあるスクランブルトラフィックデータを得るために第２スクランブルシーケンスに基づいてスクランブルされることがある。第１セットは、サービングセクタから独立する少なくとも１つのパラメータを含むことがある。第２セットは、サービングセクタに依存する少なくとも１つのパラメータを含むことがある。第１および第２セットは、それぞれ動的パラメータ、例えば、システム時間のパラメータを含むことがある。
【０００８】
本開示の様々な態様および特徴は、下記にさらに詳細に説明される。
【図面の簡単な説明】
【０００９】
【図１】図１は、無線通信システムを示す。
【図２】図２は、逆方向リンクのスーパーフレーム構造を示す。
【図３】図３は、ターミナルおよび２つのセクタ／基地局のブロック図を示す。
【図４】図４は、送信プロセッサのブロック図を示す。
【図５】図５は、送信（ＴＸ）パイロットプロセッサのブロック図を示す。
【図６】図６は、受信プロセッサのブロック図を示す。
【図７】図７は、ターミナルによってパイロットを送信するためのプロセスを示す。
【図８】図８は、パイロットを送信するための装置を示す。
【図９】図９は、セクタ／基地局によってパイロットを受信するための処理を示す。
【図１０】図１０は、パイロットを受信するための装置を示す。
【図１１】図１１は、ターミナルによってパイロットおよびトラフィックデータを送信するためのプロセスを示す。
【図１２】図１２は、パイロットおよびトラフィックデータを送信するための装置を示す。
【図１３】図１３は、セクタによってパイロットおよびトラフィックデータを受信するための処理を示す。
【図１４】図１４は、パイロットおよびトラフィックデータを受信するための装置を示す。
【発明を実施するための形態】
【００１０】
図１は、複数の基地局とともに無線通信システム１００を示す。無線システムは、アクセスネットワーク（ＡＮ）と呼ばれることがある。「システム」および「ネットワーク」は、よく区別なく使用される。簡略化するために、３つの基地局１１０、１１２および１１４のみが図１に示されている。基地局は、ターミナルと通信する局である。基地局は、さらにアクセスポイント（ＡＰ）、ノードＢ、発展（evolved）ノードＢなどと呼ばれることがある。各基地局は、特定の地理的な領域の通信の有効範囲を提供する。用語「セル」は、用語が使用されるコンテキストに次第で、基地局および／またはその有効範囲領域と呼ぶことができる。システムの容量を改善するために、基地局の有効範囲領域は、複数（例えば３つ）の小さい領域に分割されることがある。それぞれの小さい領域は、それぞれの基地局サブシステムによってサーブされることがある。用語「セクタ」は、この有効範囲領域をサーブする基地局および／または基地局サブシステムの最も小さい有効範囲領域を示すことができる。本明細書で説明される技術は、セクタされた（sectorized）セルをともなうシステムならびに未セクタ（un-sectorized）されたセルについて使用されることがある。明確にすると、セクタされたセルをともなうシステムの技術が下記に説明される。下記の説明において、用語「セクタ」および「基地局」は、区別なく使用される。基地局１１０、１１２および１１４は、セクタＡ、ＢおよびＣにそれぞれ相当する。
【００１１】
集中アーキテクチャについて、システムコントローラ１３０は、基地局と結合することがあり、これらの基地局について調整および制御を提供することがある。システムコントローラ１３０は、単一のネットワークエンティティーまたはネットワークエンティティーのコレクションであることがある。分散アーキテクチャについて、基地局は、必要に応じて互いに通信することがある。
【００１２】
ターミナル１２０は、システム内においていかなる場所に位置されることがあり、定常または可動であることがある。ターミナル１２０は、さらにアクセルターミナル（ＡＴ）、移動極、ユーザ設備、加入者ユニット、ステーションなどと呼ばれることがある。ターミナル１２０は、携帯電話、携帯情報端末(personal digital assistant)（ＰＤＡ）、無線通信装置、無線モデム、ハンドヘルド装置（handheld device）、ラップトップコンピュータ（laptop computer）、コードレスフォン（cordless phone）などであることがある。ターミナル１２０は、いかなる任意の瞬間における順方向および／または逆方向リンクで０、１、または複数のセクタと通信することがある。ターミナル１２０は、順方向および／または逆方向リンクでターミナルをサーブするように指定されたサービングセクタを有することがある。ターミナル１２０は、さらにターミナルをサーブすることが可能かもしれないアクティブセットを有することがある。図１に示す例において、セクタＡはターミナル１２０のサービングセクタであり、セクタＢおよびＣはターミナル１２０のアクティブセット内にある。
【００１３】
本明細書で説明された技術は、ＣＤＭＡ、ＴＤＭＡ、ＦＤＭＡ、ＯＦＤＭＡおよびＳＣ−ＦＤＭＡシステムなどの様々な通信システムに使用されることがある。ＣＤＭＡシステムは、ｃｄｍａ２０００、ユニバーサル地上無線アクセス（Universal Terrestrial Radio Access）（ＵＴＲＡ）などの無線技術をインプリメントすることがある。ＯＦＤＭＡシステムは、ウルトラモバイルブロードバンド（Ultra Mobile Broadband）（ＵＭＢ）、発展ＵＴＲＡ（Ｅ−ＵＴＲＡ）、IEEE 802．11、IEEE 802.16、IEEE 802.16、Ｆｌａｓｈ−ＯＦＤＭ（登録商標）などの無線技術をインプリメントすることがある。ＵＴＲＡおよびＥ−ＵＴＲＡは、「第三世代パートナープロジェクト」（"3rd Generation Partnership Project"）（３ＧＰＰ）と名づけられた団体からの文書に説明されている。ｃｄｍａ２０００およびＵＭＢは、「第３世代パートナーシッププロジェクト２」（３ＧＰＰ２）と名づけられた団体からの文書に説明されている。これらの様々な無線技術および基準は、当業者に知られている。
【００１４】
明確にすると、技術のいくつかの態様は、ＵＭＢについて下記に説明され、ＵＭＢの用語は、下記の記載の大部分で使用される。ＵＭＢは、直交周波数分割多重化（orthogonal frequency division multiplexing）（ＯＦＤＭ）および符号分割多重化（code division multiplexing）（ＣＤＭＡ）の組み合わせを使用する。ＵＭＢは、「Physical Layer for Ultra Mobile BROADBAND (UMB) Air Interface Specification」という名称の３ＧＰＰ２  Ｃ．Ｓ００８４−００１、および、「Medium Access Control Layer For Ultra Mobile Broadband (UMB) Air Interface Specification」という名称の３ＧＰＰ２  Ｃ．Ｓ００８４−００２、両方とも２００７年８月のものであり、公に入手可能である。
【００１５】
図２は、逆方向リンクについて使用されることがあるスーパーフレーム構造２００の設計を示す。送信タイムラインは、スーパーフレームのユニットに分割されることがある。各スーパーフレームは、固定、または、設定可能である特定の時間の期間に及ぶことがある。各スーパーフレームは、Ｆフィジカル層（ＰＨＹ）フレームへ分割される、ここで一般にＦ≧１である。１つの設計において、Ｆ＝２５であり、各スーパーフレームにおける２５ＰＨＹフレームは割り当てられた０から２４のインデックスである。各ＰＨＹフレームは、ＮＯＦＤＭシンボル期間に及ぶことがある、ここで一般にＮ≧１であり、１つの設計においてＮ＝８である。
【００１６】
図２は、さらにサブキャリアの構造を示す。システム帯域幅は、さらにトーン、ビンなどと呼ばれることがある複数（Ｋ）の直交サブキャリアに分割されることがある。隣接するサブキャリアの間の間隔は固定されることがあり、サブキャリアの数はシステム帯域幅に依存することがある。例えば、１．２５、２．５、５、１０または２０ＭＨｚのシステム帯域幅について、それぞれ１２８、２５６、５１２、１０２４または２０４８サブキャリアがあることがある。
【００１７】
図２は、さらに逆方向リンクでパイロット、シグナリングおよびあるトラフィックデータの送信をサポートすることができるＣＤＭＡセグメントの設計を示す。ＣＤＭＡセグメントは、例えば、逆パイロットチャネル（Reverse Pilot Channel）（Ｒ−ＰＩＣＨ）、逆ＣＤＭＡ専用制御チャネル（Reverse CDMA Dedicated Control Channel）（Ｒ−ＣＤＣＣＨ）、逆アクセスチャネル（Reverse Access Channel）（Ｒ−ＡＣＨ）、逆ＣＤＭＡデータチャネル（Reverse CDMA Data Channel）（Ｒ−ＣＤＣＨ）などの様々なチャネルをサポートすることができる。
【００１８】
ＣＤＭＡセグメントは、任意の次元であることがある時間周波数リソースのブロックを占めることがある。１つの設計において、ＣＤＭＡセグメントは、ＳＣＤＭＡセグメントを含む、ここで一般にＳ≧１である。各ＣＤＭＡセブセグメントは、ＮＯＦＤＭシンボル期間においてＭ連続したサブキャリアをカバーすることがあり、Ｌ＝Ｍ・Ｎ送信ユニットを含むことがある。送信ユニットは、１つのＯＦＤＭシンボル期間において１つのサブキャリアに相当することがある。１つの設計において、各ＣＤＭＡサブセグメントは、１つのＰＨＹフレームの８ＯＦＤＭシンボル期間において１２８連続するサブキャリアをカバーし、１０２４送信ユニットを含む。ＣＤＭＡセグメントおよびサブセグメントは、さらに他のサイズを有することがある。
【００１９】
図２に示される１つの設計において、ＣＤＭＡセグメントは、すべてのＱＰＨＹフレームにおいて送信される、ここで一般にＱ≧１であり、ある例としてＱ＝４、６、８などである。ＣＤＭＡセグメントは、（図２に示すように）ＣＤＭＡフレームからＣＤＭＡフレームまでのシステム帯域幅を渡ってホップすることあり、または、（図２に示されない）固定されたサブキャリアのセットに送信されることがある。ＣＤＭＡフレームは、ＣＤＭＡセグメントが送信されたＰＨＹフレームである。一般に、ＣＤＭＡセグメントは、任意のレートに、任意の次元の時間周波数ブロックにおいて送信される。複数のターミナルは、パイロット、シグナリングなどのＣＤＭＡセグメントを共有することがある。これは、専用時間周波数リソースを逆方向リンクでパイロットおよびシグナリングを送信するための各ターミナルに割り当てるより効率的であることがある。
【００２０】
１つの態様において、ターミナル１２０は、例えばターミナル１２０のアクティブセットにおけるすべてターミナル、パイロットを受信するように指定されたすべてのセクタよってパイロットが受信されるように逆方向リンクでパイロットを送信することがある。１つの設計において、これは、すべての指定されたセクタによって知られているスクランブルシーケンスでパイロットをスクランブルことによって達成されることがある。ターミナル１２０はパイロットをスクランブルすることがあり、そのようなパイロットは所定のセクタにおけるすべてのターミナルのパイロット間のターミナルについてユニークである。その後、これは、セクタがターミナル１２０からパイロットを受信および識別することを可能にするであろう。さらに、ターミナル１２０はパイロットをスクランブルすることがあり、そのようなパイロットは任意のセクタに特有ではない。その後、これは、ターミナル１２０からのパイロットがすべての指定されたセクタによって受信されること可能にするであろう。これは、ターミナル１２０がシステムに関して移動し、セクタからセクタへとパスされるときさえ、ターミナル１２０が同じパイロットを送信することをさらに可能にするであろう。
【００２１】
１つの設計において、パイロットのスクランブルシーケンスは、ターミナル１２０を識別および／または他のターミナルとの衝突を最小化するために使用されることがあるパラメータのセットに基づいて生成されることがある。一般に、任意のパラメータのセットは、パイロットのスクランブルシーケンスを生成するために使用されることがある。セットは、静的パラメータのみ、または動的パラメータのみ、または、静的および動的パラメータを含むことがある。静的パラメータは、ターミナルがセクタからセクタへのハンドオフされる場合でさえ、値がターミナルの通信セッションの間に変化しない値のパラメータである。静的パラメータは、セッションパラメータとも呼ばれることがあり、ターミナルのセッション状態情報の一部であることがある。動的パラメータは、値が通信セッションの間に変化するパラメータである。
【００２２】
１つの設計において、パイロットのスクランブルシーケンスのパラメータのセットは、表１で与えられたパラメータを含むことがある。
【表１】
2010516121.tif 000003
【００２３】
PilotIDは、さらにセクタID、PilotPNなどと呼ばれることがある、または、含むことがある。各セクタは、順方向リンクでパイロットを送信することがあり、そのセクタに割り当てられたスクランブルシーケンスでこのパイロットをスクランブルすることがある。PilotPNは、セクタによって使用されるスクランブルシーケンスのインデックスであることがある。セクタIDの他の形式は、パイロットのスクランブルシーケンスのパラメータのセットとして使用されることもある。
【００２４】
メディアアクセス制御ID（Medium Access Control ID）（MACID）は、さらにターミナルID、無線ネットワーク仮識別子（Radio Network Temporary Identifier）（RNTI）などと呼ばれることがある、または、含むことがある。各セクタは、そのセクタと通信する各ターミナルにユニークなMACIDを割り当てることがある。その後、各ターミナルは、セクタと通信するためのその割り当たられたMACIDによってユニークに識別されることがある。ターミナル１２０は、セクタをアクセスすることで、セクタにハンドオフされることで、アクティブセットにセクタを加えることなどで所定のセクタによってMACIDを割り当てられることがある。ターミナル１２０は、ターミナル１２０がセクタと通信する時間の期間について割り当てられたMACIDを使用することがある。割り当てられたMACIDは、ターミナル１２０がセクタを離れるとき、セクタがアクティブセットから取り除かれたときなど、割り当てられない（de-assigned）ことがある。初期アクセスされたセクタによって割り当てられたMACIDは、他のセクタとの通信に有効でないことがあるが、しかしながらターミナルからパイロットを識別するために使用されることがある。ターミナルIDの他の形式は、スクランブルシーケンスのパラメータのセットのために使用されることもある。
【００２５】
アクセスシーケンスインデックスは、MACIDがターミナル１２０に割り当てられる前に、初期システムアクセスのターミナル１２０を識別するために使用されることがある。ターミナル１２０は、アクセスシーケンスをランダムに選択し、システムにアクセスするために相当するアクセスシーケンスをＲ−ＡＣＨで送信することがある。アクセスシーケンスは、さらにアクセスシグネチャ、アクセスプローブ、ランダムアクセスプローブ、シグネチャシーケンスなどと呼ばれることがある。
【００２６】
アクセス時間は、様々なマナーで定義されることがある。例えば、アクセス時間は、ターミナルが逆方向リンクでアクセスシーケンスを送る時間であり、セクタが順方向リンクアクセスグラントをターミナルに送る時間などであることがある。アクセス時間は、様々なフォーマットで与えられることがある。１つの設計において、アクセス時間は、ターミナル１２０による初期システムアクセスの時間のフレームインデックスの最下位のビット（例えば１８ＬＳＢ）の特定の数によって与えられることがある。他の１つの設計において、アクセス時間は、初期システムアクセスが生じたときスーパーフレームインデックスのＬＳＢ（例えば９ＬＳＢ）の特定の数、およびスーパーフレームにおけるフレームのフレームインデックス（例えば、５または６ビット）によって与えられることがある。
【００２７】
システム時間は、送信の時間であることがあり、さらに現在時間、現在のシステム時間、送信時間などと呼ばれることもある。システム時間は、様々なフォーマットで与えられることがある。１つの設計において、システム時間は、送信が生じるとスーパーフレームのＬＳＢ（例えば９ＬＳＢ）の特定の数およびスーパーフレーム内におけるフレームのフレームインデックス（例えば６ビット）によって与えられることがある。システム時間は、さらに他のフォーマットで与えられることがある。
【００２８】
表１に示される設計において、PilotID、MACID、AccessSequenceIDおよびアクセス時間は、静的パラメータであることがあり、システム時間は、動的パラメータであることがある。静的パラメータは、初期システムアクセスの間に得られることがあり、初期システムアクセスが完了した直後、ターミナルおよびアクセスされたセクタの両方が利用可能であることがある。したがって、パイロットの送信および受信は、初期システムアクセスが完了するとすぐに始まり、任意の追加のメッセージングまたは構成または任意のデータパケットの交換を必要としない。静的パラメータは、さらに呼出しのセットアップ、ハンドオフなどの間に得られることがある。表１における静的パラメータのセットは、異なるターミナルの間でのパイロットのスクランブルのユニークである高い可能性に帰着することがあり、異なるターミナルの間の衝突の可能性を低減することができる。
【００２９】
表１は、１つの特定の設計にしたがって、パラメータのセットの一例および各パラメータのサイズの例を示す。表１におけるパラメータは、他のサイズを有することがある。他の静的および／または動的パラメータは、さらにパイロットのスクランブルシーケンスを生成するために使用されることがある。例えば、Ｒ−ＰＩＣＨまたはＣＤＭＡサブセグメントは、ホッピングパターンに基づいてシステム帯域幅に渡ってホップすることがあり、動的パラメータは、Ｒ−ＰＩＣＨまたはＣＤＭＡセグメントについて使用された周波数リソースに基づいて定義されることがある。
【００３０】
他のパラメータの組み合わせは、さらにパイロットのスクランブルシーケンスを生成するために使用されることがある。例えば、スクランブルシーケンスは、（ｉ）PilotID、MACID、およびシステム時間の組み合わせ、（ｉｉ）MACID、アクセス時間およびシステム時間の組み合わせ、または、（ｉｉｉ）ある他のパラメータの組み合わせに基づいて生成されることがある。他の１つの設計において、スクランブルシーケンスは、初期アクセスされたセクタによって割り当てられた、またはターミナル１２０およびシステム時間によって選択された静的な値（例えば偽ランダム値）に基づいて生成されることがある。
【００３１】
静的パラメータは、ターミナル１２０からパイロットを受信するように指定された各セクタに提供されることがあり、例えば、各新しいセクタがターミナル１２０のアクティブセットに加えられる。他のセッション状態の情報は、さらにアクティブセットに加えられることで新しいセクタと通信されることがある。動的なパラメータは、各セクタに知られることがあり、新しいセクタに送信されなくてもよいことがある。
【００３２】
パイロットのスクランブルシーケンスを生成するために使用されたパラメータのセットは、ユニークに高い確率で効率的にターミナル１２０を識別するべきである。これは、同じスクランブルシーケンスを使用する２つのターミナルからのパイロットの可能性および衝突を無視できることを保障することがある。望ましいユニークである確率は、十分な数のビットとともに十分な数の確率を使用して達成することができる。一般に、任意のパラメータのセットは、十分に高い確率でターミナル１２０をユニークに識別するために使用されることがある。パラメータのセットは、これらのセクタがターミナル１２０からパイロットを受信することができるように、すべての指定されたセクタに利用可能であることがある。パラメータのセットは、迂回中継（backhaul）を介してそれぞれの新しいセクタ、または、シグナリングを介してターミナル１２０からそれぞれの新しいセクタに送信されることがある。
【００３３】
パイロットのスクランブルシーケンスは、様々なマナーのパラメータのセットに基づいて生成されることがある。１つの設計において、パラメータのセットは、特定のジェネレータ多項式をインプリメントするＰＮジェネレータのシードとして直接使用さることがある。他の１つの設計において、パラメータのセットは、ＰＮジェネレータのシードを得るためにハッシュ関数でハッシュされることがある。ハッシュ関数は、パラメータのセットを偽ランダムシードにマップすることがあり、パラメータのセットより少数のビットをシードに提供することがある。
【００３４】
１つの設計において、パラメータのセットは、PilotID（例えば１０ビット）、MACID（例えば１１ビット）、アクセスシーケンスインデックス（例えば１０ビット）、アクセス時間（例えば１０ビット）およびシステム時間（例えば１５ビット）を含む。このパラメータのセットは、固定サイズのシード（例えば２０ビット）を得るためにハッシュされることがある。他のパラメータの組み合わせおよび／またはパラメータサイズは、さらに他のサイズを有することもあるシードを生成するために使用されることがある。シードのサイズは、異なるターミナル間の望ましい衝突の確率に基づいて選択されることがある。２０ビットシードについて、同じシードを有している２つのターミナルの確率は、２−２０と同等であり、それは１０−６と略同等である。１つのセクタにおいて１０００ターミナルがある場合、そのとき任意の残りのターミナルのスクランブルシーケンスと衝突する所定のターミナルのスクランブルシーケンスの確率は、１０−３である。この衝突の可能性は、十分に低いことがあり、システムパフォーマンスに無視できる衝撃を及ぼすことができる。
【００３５】
スクランブルシーケンスを生成するための動的パラメータの使用は、２つのターミナルからのパイロット間の繰り返された衝撃の可能性を低減することがある。ハッシュ関数のランダムの性質によって、例えば、第１ターミナルの第１セットの静的および動的パラメータは、第２ターミナルの第２セットの静的および動的パラメータと同じダイジェストにハッシュされることがある。動的パラメータは、各パイロット送信インスタンスについて変化するであろうシステム時間であることがあり、したがって異なるパラメータのセットがハッシュ関数に入力されることを保障する。ハッシュ関数入力、したがって、パイロット送信インスタンスからパイロット送信インスタンスへの変化し、静的パラメータの存在により異なるターミナルはさらに異なる。その結果、ハッシュ出力は、各ターミナルについて、および、各パイロット送信インスタンスについて異なり、したがって、繰り返された衝突の可能性を低減させる。１つのパイロット送信インスタンスにおいて、２つのターミナルのスクランブルシーケンスが衝突する場合、そのとき、これらのスクランブルシーケンスは、次のパイロット送信インスタンスにおいて恐らく衝突しないだろう。各パイロット送信インスタンスにおいて衝突の可能性は、ハッシュ関数への入力のうちの１つとしてのシステム時間の使用により１０−６の確率の独立した事象であることがある。
【００３６】
ハッシングは、さらにスクランブルシーケンスの短い長さのＰＮジェネレータの使用を考慮する、これはインプリメンテーションを簡略化する。ＰＮジェネレータは、シードで初期化されることがあり、その後、パイロットのスクランブルシーケンスを生成するために操作されることがある。
【００３７】
ターミナルからのパイロットは、様々な目的について使用されることがある。サービングセクタ１１０は、ターミナル１２０の受信されたシグナル品質を推定するための基準シグナルとしてパイロットを使用することがある。サービングセクタ１１０は、受信されたシグナル品質に基づいてパワー制御（power control）（ＰＣ）コマンドを決定することがあり、順方向パワー制御チャネル（Forward Power Control Channel）（Ｆ−ＰＣＣＨ）でＰＣコマンドをターミナル１２０に送信することがある。ターミナル１２０は、ＰＣコマンドに基づいてその送信パワーまたは送信パワー密度（ＰＳＤ）を調節することある。ターミナル１２０からのパイロットは、それゆえに、データのパワーレベルを設定するため、およびターミナル１２０によって送信されたチャネルを制御するための基準としてこのように使用されることがある。
【００３８】
ターミナル１２０のアクティブセットにおけるすべてのセクタは、ターミナル１２０からのパイロットを受信することがあり、パイロットが受信された強度を決定することがある。アクティブセットにおける各セクタは、受信されたパイロット強度に基づいてパイロット品質インディケータ（pilot quality indicator）（ＰＱＩ）を決定することがあり、順方向ＰＱＩチャネル（Forward PQI Channel）（Ｆ−ＰＱＩＣＨ）でＰＱＩをターミナル１２０へ送信することがある。ターミナル１２０は、セクタがターミナル１２０について最良の逆方向リンク（例えば、最も高い受信されたパイロット強度）を有しているかを決定するためにアクティブセットにおけるすべてのセクタからのＰＱＩを使用することがあり、逆方向リンクでのハンドオフについて決定するためにこの情報を使用することがある。
【００３９】
ターミナル１２０は、さらにサービングセクタに送信されたトラフィックデータをスクランブルすることがあり、サービングセクタに特有のスクランブルシーケンスを使用することがある。１つの設計において、トラフィックデータのスクランブルシーケンスは、表２で与えられたパラメータのセットに基づいて生成されることがある。
【表２】
2010516121.tif 000004
【００４０】
表２におけるPilotIDおよびMACIDは、サービングセクタに関連し、初期アクセスセクタに関連する表１におけるPilotIDおよびMACIDと異なることがある。これは、ターミナル１２０が初期アクセスされたセクタから現在のサービングセクタにハンドオフされている場合、そのケースであることがある。システム時間は、様々なフォーマットで与えられることがある。１つの設計において、システム時間は、スパーフレームインデックスの４ＬＳＢおよびトラフィックデータが送信されたスーパーフレーム内におけるフレームの６ビットフレームインデックスによって与えられることがある。
【００４１】
表２は、１つの特定の設計にしたがって、パラメータのセットの例および各パラメータのサイズの例を示す。これらのパラメータは、他のサイズを有することがある。他のパラメータは、さらにトラフィックデータのスクランブルシーケンスを生成するために使用されることがある。例えば、パケットのパケットフォーマットインデックスは、トラフィックデータのスクランブルシーケンスのパラメータとして使用されることがある。他のパラメータの組み合わせは、さらにトラフィックデータのスクランブルシーケンスのために使用されることがある。
【００４２】
図３は、図１におけるターミナル１２０、サービングセクタ／基地局１１０およびアクティブセットセクタ／基地局１１２の設計のブロック図を示す。ターミナル１２０において、送信プロセッサ３２０は、データソース３１２からトラフィックデータを、コントローラ／プロセッサ３３０からシグナリングを受信することがある。送信プロセッサ３２０は、トラフィックデータ、シグナリング、パイロットを処理（例えば、符号化、インタリーブ、シンボルマップ）することがあり、データシンボル、シグナリングシンボルおよびパイロットシンボルのそれぞれを提供することがある。ここで使用されているように、データシンボルは、トラフィックデータのシンボルであり、シグナリングシンボルはシグナリングまたは制御情報のシンボルであり、パイロットシンボルは、パイロットのシンボルであり、シンボルは一般に複素数値である。変調器（ＭＯＤ）３２２は、データ、シグナリングおよびパイロットシンボル（例えば、ＯＦＤＭについて）に変調を実行することがあり、出力チップを提供する。各チップは、タイムドメインにおいて複素数値であることがある。送信機（ＴＭＴＲ）３２４は、出力チップを条件つける（例えば、アナログに変換する、増幅する、フィルタする、アップコンバートする）ことがあり、アンテナ３２６を介して送信されることがある逆方向リンクシグナルを生成することがある。
【００４３】
サービングセクタ１１０において、アンテナ３５２ａは、ターミナル１２０および他のターミナルからの逆方向リンクシグナルを受信することがある。受信機（ＲＣＶＲ）３５４ａは、アンテナ３５２ａからの受信されたシグナルを条件つける（例えば、フィルタする、増幅する、ダウンコンバートする、およびデジタル化する）ことがあり、サンプルを提供することがある。復調器（ＤＥＭＯＤ）３５６ａは、サンプル（例えば、ＯＦＤＭについて）に復調を実行することがあり、シンボル推定を提供することがある。受信プロセッサ３６０ａは、シンボル推定を処理（例えば、シンボル非マップ（demap）、非インタリーブ（deinterleave）、復号）することがあり、複合化されたデータをデータシンク３６２ａに提供することがあり、複合化されたシグナリングをコントローラ／プロセッサ３７０ａに提供することがある。
【００４４】
セクタ１１２は、ターミナル１２０および他のターミナルからの逆方向リンクシグナルを同様に受信および処理することができる。アンテナ３５２ｂから受信されたシグナルは、受信機３５４ｂによって条件付けられ、復号器３５６ｂによって復号化され、受信プロセッサ３６０ｂによって処理されることがある。
【００４５】
順方向リンクで、サービングセクタ１１０における送信プロセッサ３８２ａは、データソース３８０ａからのトラフィックデータおよびコントローラ／プロセッサ３７０ａからシグナリング（例えば、ＰＣコマンド、ＰＱＩなど）を受信および処理することがある。変調器３８４ａは、送信プロセッサ３８２ａからのデータ、シグナリング、パイロットシンボルに変調を実行することがあり、出力チップを提供することがある。送信機３８６ａは、出力チップを条件付けることがあり、アンテナ３５２ａを介して送信されることがある順方向リンクシグナルを生成することがある。セクタ１１２は、その有効範囲内のターミナルにトラフィックデータ、シグナリング、シグナリングおよびパイロットを同様に処理および送信することがある。
【００４６】
ターミナル１２０において、セクタ１１０ならびに１１２、および他のセクタからの順方向リンクシグナルは、アンテナによって受信されることがあり、受信機３４０によって条件付けられることがあり、復調器３４２によって復調されることがあり、受信プロセッサ３４４によって処理されることがある。プロセッサ３４４は、復号化されたデータをデータシンク３４６へおよび復号化されたシグナリングをコントローラ／プロセッサ３３０へ提供することがある。
【００４７】
コントローラ／プロセッサ３３０、３７０ａおよび３７０ｂは、それぞれターミナル１２０およびセクタ１１０ならびに１１２において操作を導くことがある。メモリ３３２、３７２ａおよび３７２ｂは、ターミナル１２０およびセクタ１１０ならびに１１２それぞれについてデータおよびプログラムコードを記憶することがある。スケジューラ３７４ａおよび３７４ｂは、セクタ１１０および１１２それぞれと通信するターミナルをスケジュールし、チャネルおよび／または時間周波数リソースをターミナルに割り当てることがある。
【００４８】
図４は、図３におけるターミナル１２０での送信プロセッサ３２０の設計のブロック図である。この設計において、送信プロセッサ３２０は、ＴＸパイロットプロセッサ４１０およびＴＸデータプロセッサ４２０を含む。
【００４９】
ＴＸパイロットプロセッサ４１０内において、ジェネレータ４１２は、パイロットのスクランブルシーケンスのパラメータのセット、例えば、表１におけるパラメータを受信することがある。ジェネレータ４１２は、受信されたパラメータのセットに基づいてパイロットのスクランブルシーケンスを生成することがある。スクランブラ４１４は、パイロットをジェネレータ４１２からのスクランブルシーケンスでスクランブルすることがあり、スクランブルされたパイロットデータを提供することがある。パイロットデータは、例えば、直交シーケンス、すべてのシーケンス、既知のＰＮシーケンスなど任意の既知のデータであることがある。ジェネレータ４１６は、スクランブルされたパイロットデータに基づいてパイロットシンボルを生成することがあり、パイロットシンボルを変調器３２２に提供することがある。
【００５０】
ＴＸデータプロセッサ４２０内において、ジェネレータ４２２は、トラフィックデータのスクランブルシーケンスのパラメータのセット、例えば表２におけるパラメータを受信することがある。ジェネレータ４２２は、受信されたパラメータのセットに基づいてトラフィックデータのスクランブルシーケンスを生成することがある。符号器およびインタリーバ４２４は、コード化されたパケットを得るためにトラフィックデータのパケットを受信および符号化することがあり、さらにインタリーブスキームに基づいて符号化パケットにおけるビットをインタリーブすることがある。スクランブラ４２６は、データをランダムにするためにインタリーバ４２４からのビットをスクランブルすることがある。シンボルマッパー４２８は、スクランブルされたトラフィックデータを選択された変調スキームに基づいてデータシンボルにマップすることがある。
【００５１】
図５は、図４におけるＴＸパイロットプロセッサ４１０の設計のブロック図を示す。スクランブルシーケンスジェネレータ４１２内において、マルチプレクサ（Ｍｕｘ）５１２は、パイロットのスクランブルシーケンスのパラメータのセット、例えば、表１におけるパラメータを受信および連結することがある。ハッシュ関数５１４は、連結されたパラメータのセットを受信およびハッシュすることがあり、ハッシュダイジェストを提供することがある。ハッシュダイジェストは、固体サイズ（例えば、２０ビット）を有することがあり、ＰＮジェネレータ５１６のシードとして使用されることがある。ＰＮジェネレータ５１６は、シードで初期化されることがあり、スクランブルシーケンスとして偽ランダムチップを提供することがある。スクランブラ４１４内において、マルチプレクサ５２２は、スクランブルシーケンスでパイロットデータのチップずつの乗算を実行することがあり、スクランブルされたパイロットデータを提供することがある。１つの設計において、パイロットデータは、Ｌのシーケンスであり、スクランブルシーケンスは、Ｌチップの偽ランダムシーケンスであり、スクランブルされたパイロットデータは、Ｌチップの偽ランダムシーケンスである。パイロットデータは、さらに他の直交シーケンスまたは他の既知のデータであることがある。
【００５２】
パイロットシンボルジェネレータ４１６内において、乗算器５３２は、Ｒ−ＰＩＣＨの利得とともにスクランブラ４１４からの各チップをスケールすることがある。インタリーバ５３４は、乗算器５３２からのチップのシーケンスを変更することがある。１つの設計において、図２に示すように、パイロットは、ＮＯＦＤＭシンボル期間におけるＭサブキャリアのＣＤＭＡサブセグメントにおいて送信される。ユニット５３６は、各サブシーケンスがＭチップを含む状態で、インタリーバ５３４からのチップシーケンスをＮサブシーケンスに分割することがある。ＣＤＭＡセグメントの各ＯＦＤＭシンボル期間において、離散的フーリエ変換（discrete Fourier transform）(ＤＦＴ)ユニット５３８は、そのＯＦＤＮシンボル期間のサブシーケンスにおけるＭチップにＭポイントＤＦＴを実行することがあり、ＯＦＤＭシンボル期間におけるＮサブキャリアのＭパイロットシンボルを提供することがある。
【００５３】
上記で注意されるように、多数のターミナルは、ＣＤＭを使用して、同じＣＤＭＡにおいて異なるチャネルを送信することがある。ターミナル１２０は、Ｌチップ偽ランダムシーケンスを得るために（ｉ）この値をＬチップウォルシュシーケンスにマッピングおよび（ｉｉ）ＬチップウォルシュシーケンスをＬチップスクランブルシーケンスでスクランブルすることによってＣＤＭＡサブセグメントにおけるチャネルでlog2(L)ビットの値を送信することができる。この偽ランダムシーケンスは、ＣＤＭＡサブセグメントにおける他のターミナルおよび／または他のチャネルからの他の偽ランダムシーケンスとともに重ね合わせられることがある。この重ね合わせは、ＣＤＭを構成する。
【００５４】
図４におけるＴＸデータプロセッサ４２０のスクランブルシーケンスジェネレータ４２２およびスクランブラ４２６は、図５におけるスクランブルシーケンスジェネレータ４１２およびスクランブラ４１４のそれぞれと同様な方法でインプリメントされることがある。しかしながら、スクランブルシーケンスジェネレータ４２２内においてスクランブルハッシュ関数は、トラフィックデータの異なるパラメータのセット、例えば、表２におけるパラメータに基づいてシードを生成することがある、
セクタは、任意の数のターミナルからパイロットを受信することがある。セクタは、
セクタによって受信されるべき各ターミナルのパイロットのスクランブルシーケンスのパラメータのセットを有することがある。セクタは、パイロットのそのターミナルによって使用されたスクランブルシーケンスに基づいて各ターミナルによって送信されたパイロットを受信および処理することがある。
【００５５】
図６は、図３にける受信プロセッサ３６０ａおよび３６０ｂについて使用されることがある受信プロセッサ３６０の設計のブロック図を示す。受信プロセッサ３６０は、受信（ＲＸ）パイロットプロセッサ６１０およびＲＸデータプロセッサ６３０を含む。
【００５６】
ＲＸパイロットプロセッサ６１０内において、パイロットシンボルプロセッサ６１２は、ＣＤＭＡサブセグメントについて受信されたシンボルを得ることがあり、これらの受信されたシンボルを図５におけるパイロットシンボルジェネレータ４１６による処理に相補的な方法で処理することがある。プロセッサ６１２は、Ｍ入力サンプルを得るために、各ＯＦＤＭシンボル期間についてＭ受信されたシンボルにＭポイント逆ＤＦＴ（inverse DFT）（ＩＤＦＴ）を実行することがある。その後、プロセッサ６１２は、Ｌ入力サンプルのシーケンスを得るために、ＣＤＭＡセグメントのＮＯＦＤＭシンボル期間について入力サンプルをアセンブルすることがある。
【００５７】
スクランブルシーケンスジェネレータ６１４は、パイロットのターミナル１２０によって使用されるパラメータのセットに基づいてターミナル１２０のパイロットのスクランブルシーケンスを生成することがある。ジェネレータ６１４は、図５におけるジェネレータ４１２でインプリメントされることがある。ディスクランブラ６１６は、スクランブルシーケンスで入力サンプルのシーケンスをディスクランブルすることがあり、ディスクランブルされたシーケンスを提供することがある。パイロット相関器６１８は、ディスクランブルされたシーケンスをパイロットデータと関連させることがある。エネルギーアキュムレーター６２０は、パイロット相関器６１８からのすべてのサンプルのエネルギーを蓄積することがある。ターミナル１２０からのパイロットは、１つ以上のシグナルパスを介して受信されることがある。ＲＸパイロットプロセッサ６１０は、目的とする各シグナルパスの処理を実行することがあり、その後、ターミナル１２０の受信されたパイロット強度を得るためにすべてのシグナルパスのエネルギーを組み合わせることがある。ＰＱＩジェネレータ６２２は、受信されたパイロット強度を得ることがあり、ターミナル１２０のＰＱＩを決定することがある。推定器（estimator）６２４は、ターミナル１２０の受信されたシグナル品質を推定することがある。ジェネレータ６２６は、受信されたシグナル品質に基づいてターミナル１２０のＰＣコマンドを生成することがある。ＰＣコマンドおよびＰＱＩは、ターミナル１２０に送信されることがある。
【００５８】
ＲＸデータプロセッサ６３０は、図４におけるＴＸデータプロセッサ４２０による処理に相補的な方法でトラフィックデータの受信されたシンボルを処理することがある。プロセッサ６３０は、トラフィックデータのターミナル１２０によって使用されたパラメータのセットに基づいてトラフィックデータのスクランブルシーケンスを生成することがある。プロセッサ６３０は、その後、このスクランブルシーケンスでトラフィックデータのディスクランブルを実行することがある。
【００５９】
図７は、パイロットをターミナル１２０によって送信するための処置７００の設計を示す。スクランブルシーケンスは、少なくとも１つの静的パラメータおよびことによると少なくとも１つの動的パラメータを備えたパラメータのセットに基づいて生成されることがある（ブロック７１２）。少なくとも１つの静的パラメータは、ターミナルの通信セッション全体の固定値を有している。少なくとも１つの静的パラメータは、ターミナルによる初期システムアクセスの間に決定されることがあり、ターミナルのサービングセクタから独立していることがある。少なくとも１つの静的パラメータは、ターミナルによって初期にアクセスされたセクタのＩＤ、初期アクセスされたセクタによってターミナルに割り当てられたＩＤ、初期システムアクセスについてターミナルによって使用されたアクセスシーケンスインデックスおよびターミナルによる初期システムアクセスの時間のうち少なくとも１つ含むことがある。少なくとも１つの動的パラメータは、通信セッションの間に変数値を有しており、システム時間のパラメータを含むことがある。システム時間のパラメータは、パイロットが送信されるスーパーフレームのスーパーフレームインデックスおよび／またはパイロットが送信されるスーパーフレーム内におけるフレームのフレームインデックスを含むことがある。ブロック７１２について、パラメータのセットは、シード得るためにハッシュされることがあり、スクランブルシーケンスは、シードに基づいて生成されることがある。
【００６０】
パイロットは、スクランブルシーケンスに基づいて生成されることがある（ブロック７１４）。ブロック７１４について、スクランブルされたパイロットデータを得るために、パイロットデータは、スクランブルされたシーケンスでスクランブルされることがある。パイロットシンボルは、スクランブルされたパイロットに基づいて生成されることがあり、パイロットを送信するために使用される時間周波数ブロックにマップされることがある。パイロットデータは、直交シーケンスまたはある他の既知データを含むことがある。パイロットは、パイロットシンボルを備えることがある。時間周波数ブロックは、逆方向リンクでパイロットおよび／または他の情報を送信するために異なるターミナルによって使用されるＣＤＭＡセグメントのためであることがある。
【００６１】
パイロットは、ターミナルのサービングセクタを含む少なくとも１つのセクタに送信されることがある（ブロック７１６）。少なくとも１つのセクタは、ターミナルのアクティブセットにあることがある。パイロットに基づいて決定されたＰＣコマンドは、サービングセクタから受信されることがある（ブロック７１８）。ターミナルの送信パワーは、ＰＣコマンドに基づいて調節されることがある（ブロック７２０）。パイロットに基づいて決定されたＰＱＩは、少なくとも１つのセクタのそれぞれから受信されることがある（ブロック７２２）。少なくとも１つのセクタのうち１つは、各セクタから受信されたＰＱＩに基づいてサービングセクタとして選択されることがある（ブロック７２４）。ターミナルは、サービングセクタから新しいサービングセクタへハンドオフされることがある。同じパラメータのセットは、新しいサービングセクタに送信されたパイロットのスクランブルシーケンスを生成するために使用されることがある。
【００６２】
図８は、パイロットを送信するための装置８００の設計を示す。装置８００は、少なくとも１つの静的パラメータおよびことによると少なくとも１つの動的パラメータを備えたパラメータのセットに基づいてスクランブルシーケンスを生成するための手段（モジュール８１２）と、スクランブルシーケンスに基づいてパイロットを生成するための手段（モジュール８１４）と、パイロットをターミナルのサービングセクタを含む少なくとも１つのセクタに送信するための手段（モジュール８１６）と、サービングセクタからパイロットに基づいて決定されたＰＣコマンドを受信するための手段（モジュール８１８）と、ＰＣコマンドに基づいてターミナルの送信パワーを調節する手段（モジュール８２０）と、少なくとも１つのセクタのそれぞれからのパイロットに基づいて決定されたＰＱＩを受信するための手段（モジュール８２２）と、各セクタから受信されたＯＱＩに基づいてサービングセクタとして少なくとも１つのセクタのうち１つを選択するための手段（モジュール８２４）と、を含む。
【００６３】
図９は、パイロットをセクタによって受信するための処理９００の設計を示す。パイロットは、逆方向リンクでターミナルから、例えば、パイロットを送信するために使用された時間周波数ブロックから受信されることがある（ブロック９１２）。ターミナルのスクランブルシーケンスは、少なくとも１つの静的パラメータおよびことによると少なくとも動的パラメータを備えたパラメータのセットに基づいて生成されることがある（ブロック９１４）。パラメータのセットは、シードを得るためにハッシュされることがあり、スクランブルシーケンスは、シードに基づいて生成されることがある。受信されたパイロットは、ターミナルのディスクランブルされたパイロットを得るために、スクランブルシーケンスでディスクランブルされることがある（ブロック９１６）。
【００６４】
ターミナルの受信されたパイロット強度は、ディスクランブルされたパイロットに基づいて決定されることがある（ブロック９１８）。ＰＱＩは、受信されたパイロット強度に基づいて生成されることがあり（ブロック９２０）、ターミナルに送信されることがある（ブロック９２２）。セクタがターミナルのサービングセクタである場合、そのとき、ターミナルの受信されたシグナル品質は、ディスクランブルされたパイロットに基づいて決定される（ブロック９２４）。ＰＣコマンドは、受信されたシグナル品質に基づいて生成される（ブロック９２６）およびターミナルに送信される（ブロック９２８）。
【００６５】
図１０は、パイロットを受信するための装置１０００の設計を示す。装置１０００は、ターミナルからパイロットを受信するための手段（モジュール１０１２）と、少なくとも１つの静的パラメータおよびことによると少なくとも１つの動的パラメータを備えたパラメータのセットに基づいてターミナルのスクランブルシーケンスを生成するための手段（モジュール１０１４）と、ターミナルのディスクランブルされたパイロットを得るためにスクランブルシーケンスで受信されたパイロットをディスクランブルするための手段（モジュール１０１６）と、ディスクランブルされたパイロットに基づいてターミナルの受信されたパイロット強度を決定するための手段（モジュール１０１８）と、受信されたパイロット強度に基づいてＰＱＩを生成するための手段（モジュール１０２０）と、ＰＱＩをターミナルに送信するための手段（モジュール１０２２）と、ディスクランブルされたパイロットに基づいてターミナルの受信されたシグナル品質を決定するための手段（モジュール１０２４）と、受信されたシグナル品質に基づいてＰＣコマンドを生成するための手段（モジュール１０２６）と、ＰＣコマンドをターミナルに送信するための手段（モジュール１０２８）と、を含む。
【００６６】
図１１は、ターミナル１２０によるパイロットおよびトラフィックデータを送信するための処理１１００の設計を示す。第１スクランブルシーケンスは、第１パラメータのセットに基づいて生成されることがある（ブロック１１１２）。第１パラメータのセットは、第１シードを得るためにハッシュされることがあり、第１スクランブルシーケンスは、第１シードに基づいて生成されることがある。パイロットは、第１スクランブルシーケンスに基づいて生成されることがある（ブロック１１１４）。パイロットは、ターミナルのサービングセクタを含む少なくとも１つのセクタに送信されることがある（ブロック１１１６）。
【００６７】
第２スクランブルシーケンスは、第２パラメータのセットに基づいて生成されることがある（ブロック１１１８）。第２パラメータのセットは、第２シードを得るためにハッシュされることがあり、第２スクランブルシーケンスは、第２シードに基づいて生成されることがある。トラフィックデータは、スクランブルされたトラフィックデータを得るために第２スクランブルシーケンスに基づいてスクランブルされることがある（ブロック１１２０）。スクランブルされたトラフィックデータは、サービングセクタに送信されることがある（ブロック１１２２）。
【００６８】
第１セットは、サービングセクタから独立した少なくとも１つのパラメータを含むことがある。第１セットは、ターミナルによって初期にアクセスされたセクタのＩＤ、初期アクセスされたセクタによってターミナルに割り当てられたＩＤ、初期システムアクセスについてターミナルによって使用されるアクセスシーケンスインデックス、ターミナルによる初期システムアクセスの時間のうち少なくとも１つを含むことがある。第２セットは、サービングセクタに依存した少なくとも１つのパラメータを含むことがある。第２セットは、サービングセクタのＩＤおよびサービングセクタによってターミナルに割り当てられたＩＤのうち少なくとも１つを含むことがある。第１および第２セットは、それぞれ（ｉ）パイロットまたはトラフィックデータが送信されたスーパーフレームのスーパーフレームインデックス、および／または（ｉｉ）パイロットおよびトラフィックデータが送信されたスーパーフレーム内におけるフレームのフレームインデックスを含むことがあるシステム時間のパラメータを含むことがある。第１および第２セットは、さらに他のパラメータを含むことがある。
【００６９】
図１２は、パイロットおよびトラフィックデータを送信するための装置１２００の設計を示す。装置１２００は、第１パラメータのセットに基づいて第１スクランブルシーケンスを生成するための手段（モジュール１２１２）と、第１スクランブルシーケンスに基づいてパイロットを生成するための手段（モジュール１２１４）と、ターミナルのサービングセクタを含む少なくとも１つのセクタにパイロットを送信するための手段（モジュール１２１６）と、第２パラメータのセットに基づいて第２スクランブルシーケンスを生成するための手段（モジュール１２１８）と、スクランブルされたトラフィックデータを得るために第２スクランブルシーケンスに基づいてトラフィックデータをスクランブルするための手段（モジュール１２２０）と、スクランブルされたトラフィックデータをサービングセクタに送信するための手段（モジュール１２２２）と、を含む。
【００７０】
図１３は、セクタによってパイロットおよびトラフィックデータを受信するための処理１３００の設計を示す。パイロットは、ターミナルから受信されることがある（ブロック１３１２）。第１スクランブルシーケンスは、表１における任意のパラメータを含むことがある第１パラメータのセットに基づいて生成されることがある（ブロック１３１４）。第１パラメータのセットは、第１シードを得るためにハッシュされることがあり、第１スクランブルシーケンスは、第１シードに基づいて生成されることがある。受信されたパイロットは、ディスクランブルされたパイロットを得るために、第１スクランブルシーケンスでディスクランブルされる（ブロック１３１６）。
【００７１】
トラフィックデータは、さらにターミナルから受信されることがある（ブロック１３１８）。第２スクランブルシーケンスは、表２における任意のパラメータを含むことがある第２パラメータのセットに基づいて生成されることがある（ブロック１３２０）。第２パラメータのセットは、第２シードを得るためにハッシュされることがあり、第２スクランブルシーケンスは第２シードに基づいて生成されることがある。受信されたトラフィックデータは、ディスクランブルされたトラフィックデータを得るために、第２スクランブルシーケンスでディスクランブルされることがある（ブロック１３２２）。
【００７２】
図１４は、パイロットおよびトラフィックデータを受信するための装置１４００の設計を示す。装置２００は、パイロットをターミナルから受信するための手段（モジュール１４１２）と、第１パラメータのセットに基づいて第１スクランブルシーケンスを生成するための手段（モジュール１４１４）と、ディスクランブルされたパイロットを得るために第１スクランブルシーケンスで受信されたパイロットをディスクランブルするための手段（モジュール１４１６）と、トラフィックデータをターミナルから受信するための手段（モジュール１４１８）と、第２パラメータのセットに基づいて第２スクランブルシーケンスを生成するための手段（モジュール１４２０）と、ディスクランブルされたトラフィックデータを得るために受信されたトラフィックデータを第２スクランブルシーケンスでディスクランブルするための手段（モジュール１４２２）と、を含む。
【００７３】
図８、１０、１２および１４におけるモジュールは、プロセッサ、電子デバイス、ハードウェアデバイス、電子コンポーネント、論理回路、メモリなど、またはこれらの任意の組み合わせを備えることがある。
【００７４】
本明細書で説明された技術は、様々な手段によってインプリメントされることがある。例えば、これらの技術をハードウェア、ファームウェア、ソフトウェア、またはこれらの組合せで実施することがある。ハードウェアのインプリメンテーションについて、エンティティにおける技術を実行するのに使用される処理ユニット（例えば、ターミナルまたは基地局）は、１つ以上の特定用途向け集積回路（application specific integrated circuit）（ＡＳＩＣ）、ディジタル信号プロセッサ（Digital signal processor）（ＤＳＰ）、ディジタル信号処理デバイス（Digital signal processing device）（ＤＳＰＤ）、プログラマブルロジックデバイス（programmable logic device）（ＰＬＤ）、フィールドプログラマブルゲートアレイ（field programmable gate array）（ＦＰＧＡ）、プロセッサ、コントローラ、マイクロコントローラ、マイクロプロセッサ、電子デバイス、本明細書に記載の機能を実行するように設計された他の電子ユニット、コンピュータ、またはこれらの組合せの中でインプリメントされることがある。
【００７５】
ファームウェアおよび／またはソフトウェアのインプリメンテーションについて、技術は、本明細書に記載の機能を実行するコード（例えば、手順、関数、モジュール、命令など）とともにインプリメントされることがある。一般に、ファームウェアおよび／またはソフトウェアコードを実態的に具体化する任意のコンピュータ／プロセッサ可読媒体は、本明細書で説明された技術をインプリメントするために使用されることがある。例えば、ファームウェアおよび／またはソフトウェアコードは、メモリ（例えば、図３におけるメモリ３３２、３７２ａまたは３７２ｂ）に記憶されることがあり、プロセッサ（例えば、プロセッサ３３０、３７０ａまたは３７０ｂ）によって実行されることがある。メモリは、プロセッサ内において、または、プロセッサの外部でインプリメントされることがある。ファームウェアおよび／またはソフトウェアコードは、さらにランダムアクセスメモリ（random access memory）（ＲＡＭ）、読み取り専用メモリ（Read-only memory）（ＲＯＭ）、不揮発性ランダムアクセスメモリ（non-volatile random access memory）（ＮＶＲＡＭ）、プログラム可能読み取り専用メモリ（programmable read-only memory）（ＰＲＯＭ）、電気的消去可能ＰＲＯＭ（electrically erasable PROM）（ＥＥＰＲＯＭ）、ＦＬＡＳＨメモリ、フロッピー（登録商標）、コンパクトディスク（ＣＤ）、ディジタルバーサタイルディスク（ＤＶＤ）、磁気または光学データストレージデバイス（storage device）などのコンピュータ／プロセッサ可読媒体に記憶されることがある。コードは、１つ以上のコンピュータ／プロセッサによって実行可能であることがあり、コンピュータ／プロセッサに本明細書に記載された機能の特定の態様を実行させることがある。
【００７６】
開示の前の記載は、任意の当業者が開示を作成または使用することを可能にするために提供される。開示の様々な変更は、当業者によって直ちに明らかになり、本明細書で定義される一般的な原理は、開示の趣旨および範囲から逸脱せずに他の変形例に適用されることがある。したがって、本開示は、本明細書で記載された例および設計に限定されるように意図されていないが、本明細書で開示された原理および新規の特徴と一致する最も広い範囲を与えられることになっている。
【図１】
2010516121.tif 000005
【図２】
2010516121.tif 000006
【図３】
2010516121.tif 000007
【図４】
2010516121.tif 000008
【図５】
2010516121.tif 000009
【図６】
2010516121.tif 000010
【図７】
2010516121.tif 000011
【図８】
2010516121.tif 000012
【図９】
2010516121.tif 000013
【図１０】
2010516121.tif 000014
【図１１】
2010516121.tif 000015
【図１２】
2010516121.tif 000016
【図１３】
2010516121.tif 000017
【図１４】
2010516121.tif 000018
【国際調査報告】
2010516121.tif 000019
2010516121.tif 000020
2010516121.tif 000021